(57)【特許請求の範囲】
【請求項１】
防音機能を有する部材で構成され、少なくとも後壁、右側壁、左側壁、天井、床、前扉を有するハウス本体と、
前記前扉の内側に、開閉可能に設けられたセーフティゲートと、
前記ハウス本体内部に対して吸気および排気を行う強制吸気・排気設備とを備え、
前記前扉又は前壁面に透明窓を有し、
前記強制吸気・排気設備は排気中の臭いを消す消臭器を備え、
前記セーフティゲートは、前記前扉が開き、該セーフティゲートが閉じた状態において、前記ハウス本体からペットが出てくることは制限するが、ハウス本体の内外からの視界を遮ることなく、ハウス本体の内外の少なくとも温度を含む環境をほぼ同じにすることにより、前記ハウス本体の内外の環境をほぼ同じにする機能を有することを特徴とする防音機能をもったペット用ハウス。
【請求項２】
前記前扉は、前記ハウス本体前面とほぼ同じ大きさを有し、両開きに構成されていることを特徴とする請求項１に記載の防音機能をもったペット用ハウス。
【請求項３】
前記前扉は、前記ハウス本体前面のほぼ半分幅の大きさを有し、片開きに構成されていることを特徴とする請求項１に記載の防音機能をもったペット用ハウス。
【請求項４】
前記セーフティゲートは、金属製の柵からなることを特徴とする請求項１ないし３のいずれかに記載の防音機能をもったペット用ハウス。
【請求項５】
前記強制吸気・排気設備は、前記右側壁あるいは左側壁の下部に設けた吸気口、前記天井に設けた排気口、前記排気口に付属させた消臭器およびファンを有することを特徴とする請求項１ないし４のいずれかに記載の防音機能をもったペット用ハウス。
【請求項６】
前記天井の上側、前記後壁の後側に、それぞれ第１の小室、第２の小室を設け、前記強制吸気・排気設備の吸気系、排気系を、それぞれ前記第１の小室、前記第２の小室に設け、前面より吸気を行い、後面より排気を行うことを特徴とする請求項１ないし４のいずれかに記載の防音機能をもったペット用ハウス。
【請求項７】
背面に取手を突出して設け、排気が妨げられないようにしたことを特徴とする請求項６に記載の防音機能をもったペット用ハウス。
【請求項８】
前記床の底面にキャスタを設けたことを特徴とする請求項６または７に記載の防音機能をもったペット用ハウス。
【請求項９】
前記第１の小室の天板は取り外し可能であり、前記天板を取り外したときに、他の同じ仕様のペット用ハウスの底面が前記第１の小室上部に嵌合し、キャスタが第１の小室内に収納された状態で二段重ねが可能になることを特徴とする請求項８に記載の防音機能をもったペット用ハウス。
【請求項１０】
前記強制吸気・排気設備の空気流通経路には、ハウス外部への音を低減させるための消音材が充填してあることを特徴とする請求項１ないし７のいずれかに記載の防音機能をもったペット用ハウス。
【請求項１１】
前記消臭器は、フィトンチッドなどの消臭剤が放出され、臭いの微粒子を中和するタイプのものであることを特徴とする請求項１ないし１０のいずれかに記載の防音機能をもったペット用ハウス。
【請求項１２】
前記透明窓は、ロールスクリーンなどの遮蔽物により遮蔽可能になっていることを特徴とする請求項１ないし１１のいずれかに記載の防音機能をもったペット用ハウス。
【発明の詳細な説明】
【０００１】
【発明の属する技術分野】
本発明は、防音機能をもったペット用ハウスに関し、特に、騒音および衛生面での飼い主の悩みを解消するとともに、ペットにとっても快適な居住空間を提供することができるペット用ハウスに関する。
【０００２】
【従来の技術】
近年、犬や猫などのペットとの共生に対する理解が深まっており、マンションなどの集合住宅でもペットの飼育が可能になりつつある。ペットを室内で飼育するためには一般的にはケージや箱が使用されている。
【０００３】
また、実開平７−１７５０号公報には、ペットの鳴き声が外部に漏れるのを防ぐため、壁面、、床面、戸部材などを防音構造とし、さらにハウス内換気用の換気ファンに防音フィルタを設けたペットハウスが提案されている。
【０００４】
また、登録実用新案公報第３０１１９９５号には、ハウス本体および扉体の内部に防音材を充填し、底壁、天壁にそれぞれ空気取入手段、空気排出手段を設けたペットハウスが提案されている。
【０００５】
また、登録実用新案公報第３０４０５２７号には、防音材で構成したボックスの前面に透明ガラスを嵌込んだ密閉扉を取り付け、さらに消臭・消音ボックスで囲繞した吸気口および排気ファンを設けた防音犬小屋が提案されている。
【０００６】
さらに、登録実用新案公報第３０４４３５７号には、防音パネルでボックスを形成し、その前面側に窓付き扉を設け、吸気ダクト、排気ダクトおよび換気扇を設けた防音犬舎が提案されている。
【０００７】
【発明が解決しようとする課題】
屋内でペットと共生する場合、ペットに起因する騒音により近隣と騒音上の問題、衛生上の問題が発生しないように配慮することが必要である。しかしながら、ケージや箱は、単にペットの行動範囲を制限するものであるため、騒音や衛星上の問題を解消するものではなく、また、空気がよどむことなどによりペットにとっても快適な居住空間が確保されているとは言い難い。
【０００８】
また、前記公報により提案されたペット用ハウスでは、ハウス本体を防音材で構成することにより防音上の配慮がなされており、また、前記登録実用新案公報第３０４０５２７号により提案されたものでは、吸気口および排気ファンを囲繞する消臭ボックスを設けることにより臭いについての一応の配慮がなされている。  しかしながら、提案されたいずれのハウスも、扉が開の時のペットが自由に出入りできる状態と扉が閉の時のペットが密閉されている状態の２状態をとり得るのみである。来客時や食事の時など、密閉空間に入れておく必要はないが行動範囲を制限したい時も多々あり、そのようなときにもハウスに入れられることは、ペットにとって必ずしも快適なものではない。
【０００９】
本発明は、上記問題にかんがみなされたものであり、騒音および衛生面での飼い主の悩みを効果的に解消するとともに、ペットにとっても快適な居住空間を提供することができ、飼い主とペットの双方が安心して共生できるペット用ハウスを提供することを目的とする。
【００１０】
【課題を解決するための手段】
上記課題を解決するために、本発明は、防音機能を有する部材で構成され、少なくとも後壁、右側壁、左側壁、天井、床、前扉を有するハウス本体と、前記前扉の内側に、開閉可能に設けられたセーフティゲートと、前記ハウス本体内部に対して吸気および排気を行う強制吸気・排気設備とを備え、前記前扉又は前壁面に透明窓を有し、前記強制吸気・排気設備は排気中の臭いを消す消臭器を備え、前記セーフティゲートは、前記前扉が開き、該セーフティゲートが閉じた状態において、前記ハウス本体からペットが出てくることは制限するが、ハウス本体の内外からの視界を遮ることなく、ハウス本体の内外の少なくとも温度を含む環境をほぼ同じにすることにより、前記ハウス本体の内外の環境をほぼ同じにする機能を有する点に第１の特徴がある。
【００１１】
また、本発明は、前記前扉が、前記ハウス本体前面とほぼ同じ大きさを有し、両開きに構成されている点に第２の特徴がある。
【００１２】
また、本発明は、前記前扉が、前記ハウス本体の前面のほぼ半分幅の大きさを有し、片開きに構成されている点に第３の特徴がある。
【００１３】
また、本発明は、前記セーフティゲートが、金属製の柵からなる点に第４の特徴がある。
【００１４】
また、本発明は、前記強制吸気・排気設備が、前記右側壁あるいは左側壁の下部に設けた吸気口、前記天井に設けた排気口、前記排気口に付属させた消臭器および換気ファンを有する点に第５の特徴がある。
【００１５】
また、本発明は、前記天井の上側、前記後壁の後側に、それぞれ第１の小室、第２の小室を設け、前記強制吸気・排気設備の吸気系、排気系を、それぞれ前記第１の小室、前記第２の小室に設け、前面より吸気を行い、後面より排気を行う点に第６の特徴がある。
【００１６】
また、本発明は、背面に取手を突出して設け、排気が妨げられないようにした点に第７の特徴がある。
【００１７】
また、本発明は、前記床の底面にキャスタを設けた点に第８の特徴がある。
【００１８】
また、本発明は、前記第１の小室の天板は取り外し可能であり、前記天板を取り外したときに、他の同じ仕様のペット用ハウスの底面が前記第１の小室上部に嵌合し、キャスタが第１の小室内に収納された状態で二段重ねが可能になる点に第９の特徴がある。
【００１９】
また、本発明は、前記強制吸気・排気設備の空気流通経路には、ハウス外部への音を低減させるための消音材が充填してある点に第１０の特徴がある。
【００２０】
さらに、本発明は、前記消臭器が、フィトンチッドなどの消臭剤が放出され、臭いの微粒子を中和するタイプのものである点に第１１の特徴がある。
【００２１】
また、本発明は、前記透明窓が、ロールスクリーンなどの遮蔽物により遮蔽可能になっている点に第１２の特徴がある。
【００２２】
第１の特徴によれば、騒音および衛生面での飼い主の悩みを解消するとともに、ペットにとっても快適な居住空間を提供することができ、飼い主とペットの双方が安心して共生できる。
【００２３】
また、第２の特徴によれば、小型のタイプでも大きく開放することができ、ハウス内へのケージやトイレの出し入れ、清掃を容易にし、また、内側および外側からの視界を広くして飼い主およびペットに安心感を与えることができる。
【００２４】
また、第３の特徴によれば、前扉が片開きにしてもハウス内へのケージやトイレの出し入れ、清掃が容易である大きさのものについて、構造を簡単にすることができる。
【００２５】
また、第４の特徴によれば、ペットがハウスから室内へ出てくることは制限するが、ハウス内外の環境などをほぼ同じにする機能を有するセーフティゲートを丈夫かつ容易に構成することができる。
【００２６】
また、第５の特徴によれば、ハウス内全体に空気の流れを生起させ、ハウス内環境を良好にすることができるとともに、ペットに気流を感じさせることにより安らぎを与えることができる。
【００２７】
また、第６および第７の特徴によれば、強制吸気・排気設備の吸気系、排気系を整然とまとめて配置することができ、また、排気を良好に行うことができる。
【００２８】
また、第８の特徴によれば、室内での移動や車両に乗せて運搬するときの移動が容易になる。
【００２９】
また、第９の特徴によれば、限られたスペースに複数のハウスを重ねて設置することができ、ペットホテルや動物病院、試験室など多くのペットを扱う部署での使用に好適となる。
【００３０】
また、第１０の特徴によれば、吸気口や排気口から漏れる音がを低減させることができる。
【００３１】
また、第１１の特徴によれば、排気における臭いを効果的に消すことができる。
【００３２】
さらに、第１２の特徴によれば、透明窓から飼い主の姿が見えることによりペットが鳴く場合に対処できる。
【００３３】
【発明の実施の形態】
以下、図面を参照して本発明を詳細に説明する。図１は、本発明に係る防音機能をもったペット用ハウスの第１の実施形態を示し、図１の（ａ）、（ｂ）（ｃ）、（ｄ）は、その正面図、側面図、裏面図、平面図である。本実施形態は、高さ１ｍ、幅１．２ｍ、奥行き０．７ｍ程度の比較的小型のものである。もちろんこの大きさは一例であり、これに限定されない。
【００３４】
本実施形態のハウス本体１は、防音材などの防音機能を有する部材で構成され、後壁、右側壁、左側壁、天井、床、前扉２からなる。前扉２は、ほぼ幅一杯の両開きに構成され、大きな透明窓３を有する。この構成は、ハウス内へのケージやトイレの出し入れ、清掃を容易にし、また、内側および外側からの視界を広くして飼い主およびペットに安心感を与える。
【００３５】
前扉２の内側には、前扉２と同様に両開きが可能なセーフティゲート４が設けてある。ここで言うセーフティゲートとは、ペットがハウスから室内へ出てくることは制限するが、ハウス内外の環境などをほぼ同じにする機能を有するものであり、例えば鉄などの金属製の柵からなる。
【００３６】
天井の上側には、小物入れ（引出し）５を備えた第１の小室６が設けてある。この第１の小室６の前面には、室内の新鮮な空気を第１の小室６内に取り込むための吸気口７が設けてあり、また、第１の小室内６に取り込まれた空気をハウス内へ送り込むための吸気口８が後部天井に設けてある。この吸気口には、ハウス内へ空気を送り込むためのファン９が設けてある。なお、このファン９への通電用スイッチ１０は、第１の小室６の前面に設けてある。通電用スイッチ１０は、通電状態が分かるパイロットランプ付きスイッチが好ましく、電源としては家庭用交流電源を用いることができ、また、内部に電池を備えるようにしてもよい。
【００３７】
この構成により室内の空気は、第１の小室６の前面側の吸気口７から第１の小室６内を通り、後部天井の吸気口８からハウス内に送り込まれる。これらの吸気口７、８間には吸気ダクトを設けることができ、また、吸気流通経路に消音材や消臭剤を充填することもできる。また、第１の小室６の天板は、ネジなどにより固定されていて取り外し可能であり、取り外された状態においては、後述するように、他の同じ仕様のハウスを二段重ねして設置することができるようになっている。
【００３８】
後壁の外側には第２の小室１１が設けてあり、この第２の小室１１は、後壁下部に設けた排気口１２および第２の小室１１の外側壁上部に設けた排気口１３によりハウス内および外部と連通している。取り込まれた空気がハウス内全体を流通した後に排出されるように、後部天井の吸気口８と後壁下部の排気口１２とは、出来るだけ離間した位置関係に設けることが好ましい。
【００３９】
この構成によりハウス内の空気は、後壁下部に設けた排気口１２から第２の小室１１を通り、第２の小室１１の外側壁上部に設けた排気口１３から外部（室内）に排出される。
【００４０】
この際、臭いが外部に放出されることを防ぐため、排気の流通経路あるいは外部への排気口の外側部に消臭器を設ける。消臭器は、フィトンチッド（樹木から抽出した油脂香料）などの消臭剤が放出され、臭いの微粒子を中和するタイプのものが好ましい。また、排気流通経路を長くするために第２の小室１１内に障壁を配置したり、排気ダクトを設けたりすることもでき、排気流通経路に消音材を充填することも好ましい。
【００４１】
床の底面４隅にはキャスタ１４が設けてあり、背面には後方に突出した取手１５が設けてあり、これにより移動や運搬が容易になっている。また、背面に後方に突出した取手１５が設けてあり、背面と室の壁部などとの間に隙間が確保されるため、排気が妨げられる恐れがない。
【００４２】
第１の小室６の天板を外すと、他の同じ仕様のハウスを二段重ねで安定して設置することが可能になる。すなわち、二段重ねされた上のハウスの底面が下のハウスの第１の小室６の上にぴったりと嵌合し、キャスタ１４は第１の小室６内に収納される。この構成は、複数のハウスを重ねて設置することを可能にするため、ペットホテルや動物病院、試験室など多くのペットを扱う部署での使用に適する。なお、ハウスの底面付近に段差を設けるなどして手掛を設けておけば二段重ねやその分離が容易になる。図１には、波線で二段重ねの状態を示している。
【００４３】
夜間などの防音を必要とするときにはセーフティゲート３および前扉２を閉じておく。防音を必要としないときに前扉２のみを開ければハウス内外の環境がほぼ同じになる。また、セーフティゲート３も開ければペットは自由に出入りできるようになる。
【００４４】
図２は、本発明に係る防音機能をもったペット用ハウスの第２の実施形態を斜視図で示す。本実施形態は、高さ１．８ｍ、幅１．７ｍ、奥行き１．３ｍ程度の比較的大型のものである。もちろんこの大きさも一例であり、これに限定されない。
【００４５】
本実施形態のハウス本体１０１は、防音材などの防音機能を有する部材で構成され、後壁、右側壁、左側壁、天井、床、ほぼ半分幅の前壁１０２、残部幅の前扉１０３からなる。前扉１０３は、透明窓１０４を有する片開きに構成される。このハウスは大型のタイプであるため、前扉１０３が片開きでもハウス内へのケージやトイレの出し入れ、清掃が容易である。
【００４６】
また、前扉１０３が透明窓１０４を有するとともに、ほぼ半分幅の前壁１０２にも透明窓１０５を設けてあるため、内側および外側からの視界を広くすることができ、飼い主およびペットに安心感を与えることができる。なお、右側壁や左側壁にも適宜透明窓を設けることもでき、前壁１０２に設けられる透明窓１０５が大きければ前扉１０３の透明窓１０４は省略することもできる。
【００４７】
前扉１０３の内側には、前扉１０３と同様に片開きが可能なセーフティゲート１０６、例えば鉄などの金属製の柵が設けてある。このセーフティゲート１０６は、開放部全体をカバーする大きさでなくてもよく、ペットが飛び出さない大きさ、例えば１ｍ程度の高さにものでよい。
【００４８】
右側壁あるいは左側壁の下部には、室内の新鮮な空気をハウス内に取り込むための吸気口１０７が設けてある。天井には、ファンを備えた排気口１０８が設けてあり、この排気口１０８は外側部に消臭器を備えている。消臭器は、フィトンチッド（樹木から抽出した油脂香料）などの消臭剤が放出され、臭いの微粒子を中和するタイプのものが好ましく、また、吸気口１０７より取り込まれた空気がハウス内全体を流通した後に排出されるように、吸気口１０７と排気口１０８とは、できるだけ離間した位置関係に設けることが好ましい。また、排気口１０８に排気ダクトを接続して排気を屋外に放出するようにすることもできる。
【００４９】
この構成により室内の新鮮な空気は、吸気口１０７からハウス内に吸気され、ハウス内を通って排気口１０８から外部に排出され、その際、臭いの微粒子は消臭剤により中和されるため室内での臭いが軽減される。
【００５０】
また、吸気口１０７および排気口１０８には、ペットの鳴き声などが外部に漏れることを防ぐため、空気の流通が可能な消音材を充填することが好ましい。
【００５１】
天井には照明が設けてあり、前壁外側に照明用および換気ファン用のスイッチ１０９が設けてある。飼い主は、このスイッチ１０９を操作して容易にハウス内の照明および換気をコントロールすることができる。また、ハウス内部にはコンセントが設けてあり、冬場の寒いときなどにはこのコンセントから「ペット用あんか」の電源をとることができるようにすることもできる。
【００５２】
また、ハウス本体の内装の一部、例えば適当な高さのまでを、クッションフロア仕様などの着脱可能な腰壁プロテクタ１１０とすることも好ましい。これによれば腰壁プロテクタ１１０を取り外して水洗い、あるいは交換することによりハウス内部を清潔に保つことができ、また、ハウス自体の損傷を防ぐことができる。また、床を二重にし、上側を着脱可能にして水洗いできるようにすることも衛生上から好ましい。
【００５３】
以上、本発明の実施形態について説明したが、本発明は、種々の変形が可能である。例えば、第１の実施形態は、前扉を両開きにしているが、内部の清掃などに不都合がなければ、第２の実施形態と同様に片開きにすることもできる。また、その内装の一部あるいは全部を、第２の実施形態と同様に、着脱可能にしてもよい。さらに、ペットは、透明窓から飼い主の姿が見えると鳴く場合があり、そのような場合に対処するため、透明窓に視界を遮るロールスクリーンや遮蔽板を付属させることもできる。
【００５４】
【発明の効果】
以上の説明から明らかなように、本発明は、防音構造にするとともに、強制吸気・排気設備および開放的な透明窓を設けてあるため、騒音面での飼い主の悩みを解消するとともに、ペットにとっても快適な居住空間を提供することができる。
【００５５】
例えば、本ハウスの遮音性能をＤ−３０（３０ｄＢ）以上にすることができ、これによれば９０ｄＢ程度のペットの鳴き声は、ハウスにより３０ｄＢ遮音され、さらに建物自身で２０ｄＢ程度遮音されて屋外に出るため、屋外での騒音レベルは４０ｄＢ程度になる。この程度の騒音レベルでは、普通、近隣騒音問題が発生しない。ハウスの部材、密閉性などにより遮音性能をさらに高めればより静かな環境を達成できる。
【００５６】
また、透明窓やセーフティゲートなどを通して、飼い主はペットの様子がよく分かり、ペットはハウス外の様子がよく分かるため、両者に安心感を与えることができ、また、ハウス内で空気を強制的に流通させることによるペットへ安らぎを与える効果も期待できる。
【００５７】
また、本発明は、強制吸気・排気設備には消臭器を付属させてあるため、衛生面での飼い主の悩みを解消することができる。
【００５８】
また、本発明は、前扉の内側にセーフティゲートを設けてあるため、来客時や食事の時などの、防音を必要としないがペットにハウス内に入っていて欲しいときには前扉のみを開けておくことで、ペットをハウス内に入れておくことができる。この状態では、ハウス内は室内と温度差などがない環境であり、開放部分や視界が広いため、ペットがハウス内に入っても飼い主とペットとの共生感が阻害されることが少ない。
【００５９】
また、本発明は、ハウス本体の内装の一部を着脱可能な腰壁プロテクタとしており、これを取り外して水洗い、あるいは交換することができるので、ハウス内部を清潔に保つことができ、また、ハウス自体の損傷を防ぐことができる。また、床についても同様である。
【００６０】
また、本発明は、複数のハウスを重ねて置くことができるため、広いスペースがなくても多くのペットを個々のハウスに入れておくことが可能になり、ペットホテルや動物病院、試験室など多くのペットを扱う部署での使用に好適である。
【図面の簡単な説明】
【図１】  本発明に係る防音機能をもったペット用ハウスの第１の実施形態を示す正面図、側面図、裏面図および平面図である。
【図２】  本発明に係る防音機能をもったペット用ハウスの第２の実施形態を示す斜視図である。
【符号の説明】
１、１０１・・・ハウス本体、２、１０３・・・前扉、３、１０４、１０５・・透明窓、４、１０６・・・セーフティゲート、５・・・小物入れ、６、１１・・・小室、７、８、１０７・・・吸気口、９・・・ファン、１０、１０９・・・スイッチ、１２、１３、１０８・・・排気口、１４・・・キャスタ、１５・・・取手、１０２・・・前壁、１１０・・・腰壁プロテクタ
【図１】
0003915976.tif 000002
【図２】
0003915976.tif 000003